(57)【特許請求の範囲】
【請求項１】
機枠の下部に水平方向に延びる引き込み部材を設け、前記機枠の上部に前記引き込み部材に対して傾斜した状態で水平方向に延びる誘導部材を設け、前記引き込み部材と前記誘導部材の間に、前記引き込み部材の下側面に沿って誘導されてくる連続帳票の一方の面の幅方向中央部を押圧するとともに他方の面の幅方向中央部の両側を挟圧することにより前記連続帳票をその一方の側が前記誘導部材とほぼ平行になるように長さ方向に連続して折り曲げる第１の折り曲げ手段と、前記連続帳票の他方の側の他方の面の所定の位置を押圧する押圧手段とを設け、前記誘導部材における前記連続帳票の導入側の近傍に前記誘導部材と平行に延びる押さえ部材を設け、前記誘導部材における前記連続帳票の排出側の下方に前記誘導部材と直交して水平方向に延びる引き出し部材を設け、前記誘導部材と前記引き出し部材の間に、前記誘導部材の上側面に沿って誘導されてくる連続帳票の他方の面のほぼ３／４幅位置を押圧するとともに一方の面のほぼ３／４幅位置の両側を挟圧することにより前記連続帳票を長さ方向に連続して折り曲げる第２の折り曲げ手段を設けたことを特徴とする連続帳票の折り畳み装置。
【請求項２】
前記誘導部材の前記引き込み部材に対する傾斜角度が４０゜〜６０゜の範囲内であることを特徴とする請求項１に記載の連続帳票の折り畳み装置。
【請求項３】
前記誘導部材の前記引き込み部材に対する傾斜角度が４５゜であることを特徴とする請求項１に記載の連続帳票の折り畳み装置。
【発明の詳細な説明】
【０００１】
【発明の属する技術分野】
本発明は、連続帳票を長さ方向に沿って連続して四つ折りする連続帳票の折り畳み装置に関するものである。
【０００２】
【従来の技術】
図１２は従来の連続帳票の折り畳み装置の斜視図、図１３はその平面図である。
この折り畳み装置は、図５に示すような連続帳票１０１を、機枠１０２の下部に設けられた水平方向に延びる引き込みロール１０３の下側面に沿って上方に誘導し、連続帳票１０１の一方の面の幅方向中央部を押圧部材１０４によって押圧し、連続帳票１０１の他方の面の幅方向中央部の左右両側を一対の軸ローラ１０５、１０６間で挟圧することにより連続帳票１０１を長さ方向に沿って連続して折り曲げ、そして、連続帳票１０１の他方の面のほぼ１／４幅位置（折曲線１０７の位置）とほぼ３／４幅位置（折曲線１０８の位置）とを押圧部材１０７によって押圧し、さらに連続帳票１０１の一方の面におけるほぼ１／４幅位置の左右両側とほぼ３／４幅位置の左右両側とをそれぞれ軸ローラ１０８、１０９間と１０９、１１０間とで挟圧することにより連続帳票１０１を長さ方向に沿って連続して折り曲げ、四つ折り状態となった連続帳票１０１を、機枠１０２の上部に引き込みロール１０３と直交して設けられた水平方向に延びる引き出しロール１１１の上側面に沿って一側方に誘導するように構成されている。
【０００３】
【発明が解決しようとする課題】
上述した従来の連続帳票の折り畳み装置では、連続帳票１０１は、引き込みロール１０３を通過すると、折曲線１０６〜１０８によって区画された四つの帯状の部分がそれぞれ水平方向に９０゜捻られて引き出しロール１１１に誘導されるようになっているが、連続帳票１０１が硬い材質の紙によって形成されていて、引き込みロール１０３と引き出しロール１１１の間隔が短い場合には、各部分の捻りが不十分で折り畳みがスムーズにゆかないことがあった。なお、これを避けるために引き込みロール１０３と引き出しロール１１１の間隔を大きく取ると装置が大型化するという難点がある。
【０００４】
本発明は上述した事情に鑑みて創案されたものであり、硬い材質からなる連続帳票であってもスムーズに折り畳むことができるとともにコンパクト化を図ることができる連続帳票の折り畳み装置を提供することを目的としてなされたものである。
【０００５】
【課題を解決するための手段】
上述した目的を達成するために、本発明に係る連続帳票の折り畳み装置は、機枠の下部に水平方向に延びる引き込み部材を設け、前記機枠の上部に前記引き込み部材に対して傾斜した状態で水平方向に延びる誘導部材を設け、前記引き込み部材と前記誘導部材の間に、前記引き込み部材の下側面に沿って誘導されてくる連続帳票の一方の面の幅方向中央部を押圧するとともに他方の面の幅方向中央部の両側を挟圧することにより前記連続帳票をその一方の側が前記誘導部材とほぼ平行になるように長さ方向に連続して折り曲げる第１の折り曲げ手段と、前記連続帳票の他方の側の他方の面の所定の位置を押圧する押圧手段とを設け、前記誘導部材における前記連続帳票の導入側の近傍に前記誘導部材と平行に延びる押さえ部材を設け、前記誘導部材における前記連続帳票の排出側の下方に前記誘導部材と直交して水平方向に延びる引き出し部材を設け、前記誘導部材と前記引き出し部材の間に、前記誘導部材の上側面に沿って誘導されてくる連続帳票の他方の面のほぼ３／４幅位置を押圧するとともに一方の面のほぼ３／４幅位置の両側を挟圧することにより前記連続帳票を長さ方向に連続して折り曲げる第２の折り曲げ手段を設けたことを特徴としている。
【０００６】
上述した構成によれば、引き込み部材の下側面に沿って上方に誘導された連続帳票は、第１の折り曲げ手段によって幅方向中央部において一方の面が内側となるように長さ方向に連続して折り曲げられるとともに押圧手段によって他方の側の他方の面の所定の位置が押圧され、他方の側がほぼ１／４幅位置で外側に折り曲げられた状態で押さえ部材と誘導部材の間に通されることにより長さ方向に連続して半幅に折り畳まれるとともに他方の側がほぼ１／４幅位置において長さ方向に連続して外側に折り畳まれ、さらに誘導部材の上側面に沿って下方に誘導され、第２の折り曲げ手段によってほぼ３／４幅位置において四つ折り状態に折り曲げられた後、引き込み部材の下側面に沿って側方に誘導される。
【０００７】
なお、誘導部材の引き込み部材に対する傾斜角度については特に限定されないが、４０゜〜６０゜の範囲内であることが好ましい。
【０００８】
【発明の実施の形態】
以下、本発明の具体的な実施形態を図面を参照しながら説明する。
図１は本発明の一実施形態である連続帳票の折り畳み装置１の斜視図、図２は折り畳み装置１の左側面図、図３は図２のＡ方向矢視図、図４は折り畳み装置１の使用態様を示す斜視図、図５は連続帳票１０１の斜視図、図６は連続帳票１０１を裏側から見た平面図、図７〜図９は折り畳み装置１による連続帳票１０１の折り畳み方法の説明図、図１０は四つ折りされた連続帳票１０１の斜視図、図１１は連続帳票１０１によって形成された郵便物Ｍの平面図である。
【０００９】
図５に示す連続帳票１０１は、秤量１３５ｇ／ｍ2の紙によって形成されたもので、長さ方向に所定の間隔をおいて設けられたミシン目状の切断用横断線１０２、１０２、・・と、両側縁に沿って設けられた移送用のマージナルホール列１０３、１０３と、各マージナルホール列１０３、１０３の内側に設けられた長さ方向に延びる一対のミシン目状の切離線１０４、１０４とを有し、切断用横断線１０２、１０２、・・によって多数の単位帳票１０５、１０５、・・に区画されている。
【００１０】
また、連続帳票１０１には、幅方向中央部に長さ方向に延びるミシン目状の折曲線１０６が設けられ、一方の側縁からほぼ１／４幅の位置とほぼ３／４幅位置にもそれぞれ長さ方向に延びるミシン目状の折曲線１０７、１０８が設けられており、これらによって、各単位帳票１０５が第１〜第４の領域１０５ａ〜１０５ｄに区画されている。第１の領域１０５ａの表面側は宛名印字欄、第２〜第４の領域１０５ｂ〜１０５ｄの表面側は個人別の可変情報が印字される欄になっており、これらの欄にはコンピュータに接続されたプリンタによって情報が印字処理されている。また、第１〜第４の領域１０５ａ〜１０５ｄの裏面側（図６参照）には広告等の固定情報が印刷されている。
【００１１】
図１〜図３に示すように、折り畳み装置１は機枠２を備えており、機枠２は、前端側に連続帳票１０１を載置するための載置面３ａを有する台座３と、台座３の後端面の中央部に垂直方向に延びるように立設された後部支柱４と、台座３の両側面の後端側に垂直方向に延びるように立設された左右一対の側部支柱５、６とを備えている。
【００１２】
側部支柱５、６の後方には、横方向に水平に延びる引き込みロール７が設けられている。引き込みロール７は、台座３の両側面に上方に突出するように取り付けられた左右一対の軸受板８、９間に架設され、中心軸まわりに回転自在となっている。
【００１３】
また、機枠２は、左側の側部支柱５の上面と後部支柱４の上面との間に引き込みロール７に対して４５゜傾斜した状態で水平に延びるように架設された支持杆１０と、その一側面のほぼ中央部に垂直上方に延びるように取り付けられた第１の支持板１１と、その上端部に支持杆１０と平行かつ斜め後方に向けて延びるように取り付けられた第２の支持板１２とを備えている。
【００１４】
第２の支持板１２の内面の左右両端には、第２の支持板１２と直交して斜め前方に水平に延びる誘導ロール１３、１４が設けられ、誘導ロール１３、１４の間にはこれらと平行に延びる押さえロール１５が設けられている。また、第１の支持板１１の内面の上部には、誘導ロール１３と平行に延びる押さえロール１６が設けられている。誘導ロール１３、１４、押さえロール１５、１６はそれぞれ中心軸まわりに回転自在となっている。
【００１５】
左側の側部支柱５の内面には右側方に向けて水平に延びる支持棒１７が設けられ、その先端部には押圧部材１８が取り付けられている。押圧部材１８は、後方に向けて斜め上方に延びる棒状の基部１８ａと、これの先端部に設けられた球状の押圧部１８ｂとからなっており、図７に示すように、押圧部１８ｂは、引き込みロール７の下側面に沿って誘導されてくる連続帳票１０１の一方の面の幅方向中央部を押圧する。
【００１６】
後部支柱４の内面には左右一対の軸ローラ１９、２０が設けられている。軸ローラ１９、２０は先端側が円錐状に形成され、長円形の回動板２１、２２の下端に中心軸まわりに回転自在に取り付けられている。回動板２１、２２の上端は後部支柱４に枢着されており、回動板２１、２２を回動させると軸ローラ１９、２０間の隙間を調整することができるようになっている。図７に示すように、軸ローラ１９、２０の間隔は、押圧部１８ｂによって押圧された連続帳票１０１の他方の面の幅方向中央部の両側を挟圧して連続帳票１０１を幅方向中央部において一方の面が内側となるように折り曲げることができるように設定されている。
【００１７】
後部支柱４の内面における軸ローラ１９、２０の下方の位置には左側方に向けて水平に延びる板状の支持部材２３が取り付けられており、その内面の先端部には押圧部材２４が取り付けられている。押圧部材２４は、クランク状に形成され前方に向けて突出した棒状の基部２４ａと、これの先端部に設けられた球状の押圧部２４ｂとからなっており、図７に示すように、押圧部２４ｂは、引き込みロール７の下側面に沿って誘導されてくる連続帳票１０１の左側の部分の他方の面の所定の位置を押圧する。なお、連続帳票１０１が折曲線１０７に沿ってスムーズに折り曲がるように、押圧部２４ｂの位置は、押さえロール１６上の連続帳票１０１との接触箇所内の任意の点と、押圧部２４ｂの押圧点と、軸ローラ１９、２０間の連続帳票１０１の挟圧箇所内の任意の点とによって形成される三角形が、押さえロール１６上の点を頂点とするほぼ二等辺の三角形（即ち、押さえロール１６上の点の両側の二つの辺の長さがほぼ等しい）となるように設定されている。
【００１８】
誘導ロール１４の下方には、これと直交して水平方向に延びる引き出しロール２５が設けられている。引き出しロール２５は、台座３の後端側右隅部の上面に立設された一対の角柱２６、２７間に架設された軸受板２８と、これと対向して配置された垂直方向に延びる軸受板２９との間に架設された支持軸３０によって中心軸まわりに回転自在に支承されている。
【００１９】
軸受板２８のほぼ中央部には垂直上方に延びる板状の支持部材３１が取り付けられ、その内面には押圧部材３２が設けられている。押圧部材３２は、クランク状に形成され支持板２９に向けて突出した棒状の基部３２ａと、これの先端部に設けられた球状の押圧部３２ｂとからなっており、押圧部３２ｂは、誘導ロール１４の上側面に沿って誘導されてくる連続帳票１０１の他方の面の折曲線１０８の位置を押圧する。
【００２０】
軸受板２９の上端には左右一対の軸ローラ３３、３４が設けられている。軸ローラ３３、３４は先端側が円錐状に形成され、長円形の回動板３５、３６の上端に中心軸まわりに回転自在に取り付けられている。回動板３５、３６の下端は支持板２９に枢着されており、回動板３５、３６を回動させると軸ローラ３３、３４間の隙間を調整することができるようになっている。軸ローラ３３、３４の間隔は、図９に示すように、連続帳票１０１の一方の面の折曲線１０８の両側を挟圧して連続帳票１０１を折り曲げることができるように設定されている。
【００２１】
側部支柱５、６の上端部には前方に向けて延びる左右一対のアーム３７、３８が取り付けられている。アーム３７、３８の先端部間には横方向に水平に延びる前後一対のガイドロール３９、４０が架設されていて、これらは中心軸まわりに回転自在となっている。載置面３ａに載置された連続帳票１０１はこれらの間を通り、ガイドロール４０の上側面に沿って鋭角状に折り曲げられた状態で引き込みロール７の下側面に案内される。
【００２２】
なお、図示していないが、折り畳み装置１の右側方には、折り畳み装置１によって四つ折りされた連続帳票１０１から図１１に示すような郵便物Ｍを形成する処理装置が配置されている。この処理装置は、図１０に示すように四つ折りされた連続帳票１０１の両面を挟圧し、各領域１０５ａ〜１０５ｄにあらかじめ塗布されている感圧接着剤層によって領域１０５ａ〜１０５ｄを互いに接着した後、連続帳票１０１の両側端部を切離線１０４よりも内側の位置でスリットし、この連続帳票１０１を切断用横断線１０２に沿って分断することにより郵便物Ｍを形成する。
【００２３】
次に、折り畳み装置１の動作を説明する。
まず、連続帳票１０１の装着方法について説明する。
図５に示すように切断用横断線１０２に沿って折り重ねられた連続帳票１０１を台座３の載置面３ａ上に載置し、その先端部を下側からガイドロール３９、４０間に通し、ガイドロール４０の上側面に沿って引き込みロール７側に誘導し、引き込みロール７の下側面に沿って上方に引っ張り出す。
【００２４】
次に、連続帳票１０１の先端部を、幅方向中央部の折曲線１０６に沿って表面側が内側になるように折り曲げ、押圧部材２４の押圧部２４ｂが連続帳票１０１の裏面側に位置にするとともに押圧部材１８の押圧部１８ｂが折り曲げ部分の内側に位置するようにし、さらに折り曲げ部分の外側を軸ローラ１９、２０間に通す（図７参照）。
【００２５】
次に、連続帳票１０１の先端部を表面側が内側になるように半幅に折り畳むとともに左側の部分を折曲線１０７の位置で外側に折り畳み、押さえロール１６と誘導ロール１３の間に通し、誘導ロール１３の上側面に沿って斜め後方に誘導する（図８参照）。さらに、連続帳票１０１の先端部を押圧ロール１５の下側に通し、誘導ロール１４の上側面に沿って下方に誘導する。
【００２６】
次に、下方に誘導された連続帳票１０１の先端部を折曲線１０８に沿って裏面側が内側となるように折り曲げ、押圧部材３２の押圧部３２ｂが折り曲げ部分の内側に位置するようにするとともに折り曲げ部分の外側を軸ローラ３３、３４間に通す（図９参照）。そして、四つ折り状態となった連続帳票１０１の先端部を引き出しロール２５の下側面に沿って斜め前方に誘導し、処理装置に装着する。
【００２７】
処理装置を駆動すると、台座３に載置された連続帳票１０１が上側から順次引っ張り出され、ガイドロール３９、４０間を通り、ガイドロール４０の上側面に沿って引き込みロール７に誘導される。そして、連続帳票１０１は、引き込みロール７の下側面に沿って上方に誘導され、左側の部分の裏面の所定の位置が押圧部材２４の押圧部２４ｂによって押圧され、表面の幅方向中央部が押圧部材１８の押圧部材１８の押圧部１８ｂによって押圧され、裏面の幅方向中央部の両側が軸ローラ１９、２０間で挟圧される。これによって、連続帳票１０１は、図７に示すように、左側の部分が前方に湾曲するとともに右側の部分が誘導ロール１３とほぼ平行になるように折れ曲がる。
【００２８】
次に、連続帳票１０１は、押さえロール１６と誘導ロール１３の間を通ることにより、図８に示すように、表面側が内側となるように半幅に折り畳まれるとともに左側の部分が折曲線１０７の位置において外側に折り畳まれ、誘導ロール１３の上側面に沿って斜め後方に誘導される。そして、連続帳票１０１は、押圧ロール１５の下側を通り、誘導ロール１４の上側面に沿って下方に誘導され、裏面の折曲線１０８の位置が押圧部材３２の押圧部３２ｂによって押圧され、図９に示すように表面の折曲線１０８の両側が軸ローラ３３、３４間で挟圧されることにより折り曲げられて四つ折り状態となる（図１０参照）。
【００２９】
四つ折り状態となった連続帳票１０１は、引き出しロール２５の下側面に沿って処理装置に誘導され、両面が挟圧されて領域１０５ａ〜１０５ｄ間が接着され、両側端部がスリットされた後、切断用横断線１０２に沿って分断されて図１１に示すような個々の郵便物Ｍとなる。
【００３０】
なお、本発明は上述した実施形態に限定されるものではなく、他の形態で実施することもできる。
【００３１】
例えば、連続帳票は、秤量１３５ｇ／ｍ2の紙以外の紙からなるものを使用することもできる。
また、誘導ロール１３の引き込みロール７に対する傾斜角度は４５゜に限定されるものではなく、連続帳票の硬さや引き込みロール７と誘導ロール１３の間隔等に応じて適宜変更することができる。
さらに、これら以外にも、特許請求の範囲に記載された事項の意味内において種々の変更が可能である。
【００３２】
【発明の効果】
本発明に係る連続帳票の折り畳み装置は、誘導部材が引き込み部材に対して傾斜した状態で配置されているため、連続帳票の捻り角度が小さく、連続帳票が硬い紙からなる場合でもスムーズに折り畳むことができる。また、引き込み部材と誘導部材の間隔を大きく取る必要が無いため、装置のコンパクト化を図ることができる。
【００３３】
なお、本発明は、特に、秤量１３５ｇ／ｍ2以上の紙からなる連続帳票に適している。
【図面の簡単な説明】
【図１】  本発明の一実施形態である連続帳票の折り畳み装置の斜視図。
【図２】  図１の折り畳み装置の左側面図。
【図３】  図２のＡ方向矢視図。
【図４】  図１の折り畳み装置の使用態様を示す斜視図。
【図５】  連続帳票の斜視図。
【図６】  連続帳票を裏側から見た平面図。
【図７】  連続帳票の折り畳み方法の説明図。
【図８】  連続帳票の折り畳み方法の説明図。
【図９】  連続帳票の折り畳み方法の説明図
【図１０】  四つ折りされた連続帳票の斜視図。
【図１１】  連続帳票によって形成された郵便物の平面図。
【図１２】  従来の連続帳票の折り畳み装置の斜視図。
【図１３】  図１２の折り畳み装置の平面図。
【符号の説明】
１  折り畳み装置
２  機枠
７  引き込みロール（引き込み部材）
１３  誘導ロール（誘導部材の一部）
１４  誘導ロール（誘導部材の一部）
１６  押さえロール（押さえ部材）
１８  押圧部材（第１の折り曲げ手段の一部）
１９  軸ローラ（第１の折り曲げ手段の一部）
２０  軸ローラ（第１の折り曲げ手段の一部）
２４  押圧部材（押圧手段）
２５  引き出しロール（引き出し部材）
３２  押圧部材（第２の折り曲げ手段の一部）
３３  軸ローラ（第２の折り曲げ手段の一部）
３４  軸ローラ（第２の折り曲げ手段の一部）
１０１  連続帳票
【図１】
0003874509.tif 000002
【図２】
0003874509.tif 000003
【図３】
0003874509.tif 000004
【図４】
0003874509.tif 000005
【図５】
0003874509.tif 000006
【図６】
0003874509.tif 000007
【図７】
0003874509.tif 000008
【図８】
0003874509.tif 000009
【図９】
0003874509.tif 000010
【図１０】
0003874509.tif 000011
【図１１】
0003874509.tif 000012
【図１２】
0003874509.tif 000013
【図１３】
0003874509.tif 000014